(57)【要約】【課題】従来バイクの車輪を持ち上げて横方向に動かす為の安全で簡単な工具は無かった。また、駐車中のバイクの車輪を回転させて清掃やメンテナンスを行うことに苦労していた。【解決手段】２本のローラーをＶ字型に組み付けたローラー台の下にキャスターを取り付けて、これを左右一対とし、片方にスライドシャフトを取り付け、もう一方にガイドパイプを取り付けて摺動可能とし、お互いのローラー台をテコで引き寄せてバイクの車輪を持ち上げるようにして、バイクの移動と車輪の回転が一つの工具で出来るようにしたものである。【選択図】図１
2008222192.tif 000002
【特許請求の範囲】
【請求項１】
２本のローラーをＶ字型に組み付けることが出来るようにしたローラー台の両端下部に自在キャスターを設け、これを左右一対とし、この片方にスライドするためのシャフトを設け、もう片方にそのスライドシャフトを摺動出来るようにしたガイドパイプを設け、これを摺動して引き寄せるためのテコ部材を備え、この両側に配置されたローラーでバイクの車輪を挟み込んで、テコ部材の働きによりバイクの車輪を持ち上げる事の出来るようにしたバイクのメンテナンス工具。
【請求項２】
請求項１記載のバイクのメンテナンス工具をテコ部材で引き寄せた時に自動的にテコ部のハンドルをロックする事の出来るようにした請求項１記載のバイクのメンテナンス工具。
【発明の詳細な説明】
【技術分野】
【０００１】  本発明はバイクの駐車時における車輪の回転とバイクの横移動が行える工具に関する。
【背景技術】
【０００２】  従来バイクの駐車時に車輪の点検または清掃用として使用されている物としては、２本のローラーを平行水平に一定間隔で配置して、このローラーの上にバイクの車輪を乗せて行うものがあった。【０００３】  また、バイクを移動させる装置としては、移動用台車をバイクの車輪の両側に差し込んでテコの作用を使い足で踏み込んでバイクの車輪を持ち上げて移動できるものはあった（特許文献１参照）。【０００４】
【特許文献１】特許公開２０００−３３８５８
【発明の開示】
【発明が解決しようとする課題】
【０００５】  だが、以上に述べた従来の工具でバイクの車輪の清掃や修理を行う場合、これらは車輪を回転させながら行うが、２本のローラーを平行水平に一定間隔で配置した工具の上にバイクの車輪を載せて回転させると、殆どの場合、車輪が回転していくうちにローラーから外れていき、バイクの車輪を回転させる事が出来ない。【０００６】  また、（特許文献１参照）の工具の場合はバイクを移動させる為だけのものであるが、移動の際に必ず足で踏みつけて上から加圧した状態でしか動かせないために操作技術を要した。【０００７】  本発明はこのような従来移動するだけの工具とメンテナンスを行うだけの工具とを一つの工具にまとめて、安全に効率よく作業が出来ることを目的としたものである。
【課題を解決するための手段】
【０００８】  そして、本発明は上記目的を達成するため、請求項１記載の発明では、ローラー▲１▼をやや緩い角度でＶ字型に組み付ける事の出来るローラー台▲２▼にローラー▲１▼を組み付け、そのローラー台▲２▼の下部両側に自在キャスター▲３▼を取り付けてこれを左右一対とし、その片方にスライドシャフト▲４▼を設け、もう片方にはそのスライドシャフト▲４▼を摺動する事の出来るガイドパイプ▲５▼を設け、左右一対で摺動移動するためにスライドシャフト▲４▼の端部に設けた鎖掛け口▲６▼に鎖の一端を掛け、ガイドパイプ▲５▼の端にテコ支点▲７▼を設け、このテコ支点▲７▼にテコハンドル▲８▼を取り付けテコハンドル▲８▼の鎖止め固定部▲１２▼に鎖留め具▲９▼を固定し、その鎖留め具▲９▼の端に鎖を固定して、テコハンドル▲８▼を水平方向に約半回転させて一対のローラー台▲２▼を引き寄せる事が出来るように構成されたものである。【０００９】  また、請求項２に係わる発明では、テコハンドル▲８▼で一対のローラー台▲２▼を引き寄せて使用する際に、何らかの作用でテコが解放されることを防ぐものであり、図２に示す鎖掛け口▲６▼に鎖を掛けてテコハンドル▲８▼を水平方向に約半回転させることにより、図３に示すように両側のローラー台▲２▼が引き寄せられ、この時、図４と図５で示すようにテコハンドル▲８▼でハンドルストッパー受け▲１０▼に取り付けられたハンドルストッパー▲１１▼を持ち上げた後、図６と図７に示すようにテコハンドル▲８▼が定位置に収まれば、ハンドルストッパー▲１１▼が落下してテコハンドル▲８▼を固定し、そのためテコの解放を防ぐハンドルロック構造となるものである。
【発明の効果】
【００１０】  上記したように本発明のバイクメンテナンス工具は、バイクの横移動が安全快適に出来るだけでなく、バイクの清掃やメンテナンスにも適したものであり、また、この工具をバイクの前輪と後輪にそれぞれ装着して使用すると、どの方向にでも任意に移動する事ができる。【００１１】  また、車輪の回転に於いても、ローラー▲１▼がやや緩やかなＶ字型に組み付けられていることにより、ローラー▲１▼の上からずれ落ちることは無い。【００１２】  そして、テコハンドル▲８▼を作用して車輪を持ち上げた時のハンドルロックの操作も自動的に行われるので忘れる心配が無く、安心して使用する事が出来る。
【発明を実施するための最良の形態】
【００１３】  以下本発明の実施の形態を説明すると、まず駐車中のバイクの車輪を一対のローラー台▲２▼で挟み込むように設置し、図２に示す鎖掛け口▲６▼に鎖を掛けてテコハンドル▲８▼を水平方向に約半回転させることによりローラー台▲２▼が引き寄せられて図３に示す様な状態になり、結果的にバイクの車輪を持ち上げ、図１に示すようにローラー▲１▼の上に車輪を載せることが出来る。【００１４】  この時引き上げる為の装置としてテコを使うが、図８に示すように鎖留め具固定部▲１２▼と鎖掛け口▲６▼との直線とテコハンドル▲８▼との角度が１８０度を越えるとそれまでとは反対の方向に荷重が働くため、ローラー▲１▼の上部に車輪が載って荷重されても一対のローラー台▲２▼が解放されることは無い。【００１５】  しかしながら、例えばバイクを移動中に何らかの衝撃または加圧などにより、テコハンドル▲８▼が解放される可能性があり危険である。【００１６】  そのためにテコハンドル▲８▼を固定する装置が必要になり、図４、図５で示すようにテコハンドル▲８▼を操作する途中でハンドルストッパー▲１１▼を持ち上げて図６、図７で示すように、ハンドルストッパー▲１１▼が自動落下することによりテコハンドル▲８▼を固定することが出来る。【００１７】  バイクの車輪を回転させる場合に於いては、ローラー▲１▼をＶの字型に組み付けてあるが、この角度が緩すぎると、車輪の回転中にローラー▲１▼から車輪がずれて落ちてしまい、また、きつすぎると工具自体の高さが高くなりバイクのフレームに接触するため、本発明の角度が望ましい。【００１８】  また、バイクの車輪を滑らかに回転させるには、左右に配置する一対のローラー台▲２▼のローラー▲１▼取り付け角度を八の字状に構成し、図１に示すようにローラー軸をバイクの車輪の車軸方向に向けたほうが、より抵抗が少なくなる。【００１９】  そして、車輪の清掃などを行う場合キャスター▲３▼をブレーキ付き車輪にすると、より一層安全に使用できる。
【図面の簡単な説明】
【００２０】
【図１】  本発明の実施形態を示す参考図
【図２】  同工具のテコハンドル解放時の斜視図
【図３】  同工具のテコハンドル固定時の斜視図
【図４】  ハンドルストッパー作動時の正面図
【図５】  同上矢視Ａ側面図
【図６】  ハンドルストッパー固定時の正面図
【図７】  同上矢視Ｂ側面図
【符号の説明】
【００２１】▲１▼  ローラー
▲２▼  ローラー台
▲３▼  キャスター
▲４▼  スライドシャフト
▲５▼  ガイドパイプ
▲６▼  鎖掛け口
▲７▼  テコ支点
▲８▼  テコハンドル
▲９▼  鎖留め具
▲１０▼  ハンドルストッパー受け
▲１１▼  ハンドルストッパー
▲１２▼  鎖留め具固定部
【図１】
2008222192.tif 000003
【図２】
2008222192.tif 000004
【図３】
2008222192.tif 000005
【図４】
2008222192.tif 000006
【図５】
2008222192.tif 000007
【図６】
2008222192.tif 000008
【図７】
2008222192.tif 000009
【図８】
2008222192.tif 000010
【手続補正書】
【提出日】平成19年5月17日(2007.5.17)
【手続補正１】
【補正対象書類名】明細書
【補正対象項目名】００２０
【補正方法】変更
【補正の内容】
【００２０】
【図１】  本発明の実施形態を示す参考図
【図２】  同工具のテコハンドル解放時の斜視図
【図３】  同工具のテコハンドル固定時の斜視図
【図４】  ハンドルストッパー作動時の正面図
【図５】  同上矢視Ａ側面図
【図６】  ハンドルストッパー固定時の正面図
【図７】  同上矢視Ｂ側面図
【図８】  テコハンドル固定時の平面図